(57)【要約】【課題】小型化が可能で、かつ、動作信頼性も高い錠装置の提供を目的とする。【解決手段】先端に係止フック１を備え、係止フック１を背向させた積層姿勢で中間部が回転自在に軸支される一対の施錠体２、  シリンダケース３内に回転操作可能に挿入されるプラグ４、および  プラグ４の終端に設けられ、プラグ４の回転により前記施錠体２を係止フック１が近接する解錠姿勢と離間する施錠姿勢との間で揺動させるカム突部５を有して構成する。【選択図】  図１
2005307666.tif 000002
【特許請求の範囲】
【請求項１】
先端に係止フックを備え、係止フックを背向させた積層姿勢で中間部が回転自在に軸支される一対の施錠体、
シリンダケース内に回転操作可能に挿入されるプラグ、および
プラグの終端に設けられ、プラグの回転により前記施錠体を係止フックが近接する解錠姿勢と、離間する施錠姿勢との間で揺動させるカム突部、
を有する錠装置。
【請求項２】
前記カム突部がプラグ終端に一体形成され、かつ、施錠状態における施錠体に対する支持面が、プラグと同心の円弧面である請求項１記載の錠装置。
【発明の詳細な説明】
【技術分野】
【０００１】
本発明は、錠装置に関するものである。
【背景技術】
【０００２】
パソコン等に開設されたロック孔に脱離不能に連結されて使用される錠装置としては、特許文献１記載のものが知られている。この従来例において、錠装置は、先端に係止フックを備えた２枚の施錠体と、ケース内に挿入されたプラグとを有する。各施錠体は一端にパソコン等に開設されたロック孔に係止可能なフックを備え、フックが背向する姿勢で一方がケースに対して相対位置不変に、他方が水平方向にスライド可能に装着される。
【０００３】
フック間が近接姿勢をとる解錠状態において施錠体をロック孔に挿通させた後、プラグを施錠方向に回転させると、可動側施錠体がスライドしてロック孔に係止し、パソコン等に脱離不能に連結される。
【特許文献１】登録実用新案第３０６２０１０号公報
【発明の開示】
【発明が解決しようとする課題】
【０００４】
しかし、可動側施錠体がスライドして施解錠姿勢間を変更する従来例には以下の問題がある。すなわち、並進移動部材である施錠体において、移動間におけるがたつきの発生は、操作性の急激な低下の原因となり、ストローク終端におけるがたつきは、フック係止寸法の不安定化、延いては、施錠の信頼性の低下の原因となるために、がたつきを効果的に防止する必要がある。
【０００５】
しかし、 一般に並進移動部材に対するがたつきの防止のためには、十分な摺動面、あるいはガイド面が必要であり、これを充足するには錠装置が大型化してしまうという問題がある。
【０００６】
本発明は、以上の欠点を解消すべくなされたものであって、小型化が可能で、かつ、動作信頼性も高い錠装置の提供を目的とする。
【課題を解決するための手段】
【０００７】
本発明によれば上記目的は、
先端に係止フック１を備え、係止フック１を背向させた積層姿勢で中間部が回転自在に軸支される一対の施錠体２、
シリンダケース３内に回転操作可能に挿入されるプラグ４、および
プラグ４の終端に設けられ、プラグ４の回転により前記施錠体２を係止フック１が近接する解錠姿勢と離間する施錠姿勢との間で揺動させるカム突部５、
を有する錠装置を提供することにより達成される。
【０００８】
錠装置は先端に係止フック１を備えた一対（２個）の施錠体２を備え、各施錠体２は、係止フック１の突出方向に対して直交方向に重ねられて中間部で回転自在に軸支される。連結状態で係止フック１は背向方向に向けられており、係止フック１が近接する回転姿勢が解錠状態に、離間する姿勢が施錠状態に対応する。
【０００９】
これら施錠体２を施解錠状態に変更するために、プラグ４の終端部にはカム突部５が突設される。プラグ４を回転操作してカム突部５をプラグ４回転中心周りに回転させると、上記施錠体２の一端、正確には係止フック１形成端に対して反対端が駆動されて施解錠位置間を回転移動する。
【００１０】
２個の施錠体２をＸ字状に連結することにより、各施錠体２は枢軸６周りに回転運動して状態変位を行うために、スライド移動に比して移動時のがたつきが発生しにくく、操作感が良好になる。また、施解錠姿勢における施錠体２、２間の相対角度の管理は比較的容易であるために、係止フック１の係止代の管理も容易であり、施錠に対する信頼性も向上する。
【００１１】
カム突部５は、プラグ４への回転操作により回転するものであれば、例えばプラグ４に対する解錠キーの抜き差し位置の調整等のためにプラグ４との間に遊び角度が設定されていてもよいが、プラグ４に対して一体に形成する場合には、施錠状態における施錠体２の支持面を、プラグ４の回転中心を中心とする円弧面に形成するのが望ましい。
【００１２】
このように構成すると、プラグ４のシリンダケース３内での回転方向のがたつきがあっても、施錠体２のカム突部５との接触部が、プラグ４径方向に移動することがないために、係止フック１の係り代が変化することがなく、施錠信頼性が向上する。
【発明の効果】
【００１３】
本発明によれば、小型化が可能で、かつ、動作信頼性も高い錠装置を得ることができる。
【発明を実施するための最良の形態】
【００１４】
図１、２にパソコン用錠装置として構成された本発明の実施の形態を示す。この実施の形態において、錠装置は、アウターケース３ａ内にインナーケース３ｂを脱離不能に挿入したシリンダケース３を備える。アウターケース３ａにはワイヤ取り付け部３ｃが設けられ、締結用ワイヤ７の一端を脱離不能に連結することができる。
【００１５】
また、施錠対象であるパソコンの筐体９には、図１（ｃ）に示すように、長孔からなるロック孔８が開設される。ロック孔８の縦方向寸法は、後述する施錠体２が解錠状態にあるときに係止フック１が挿入可能で、かつ、施錠状態にあるときに、図１（ｂ）に示すように、係止フック１が筐体９裏面のロック孔８周縁に係止可能に設定される。また、ロック孔８の幅方向寸法は、挿入した施錠体２の回転方向のがたつきがないように設定される。
【００１６】
上記インナーケース３ｂには、プラグ４が挿入される。図２に示すように、プラグ４は、後端から突出するカム突部５を有し、真正な解錠キーを挿入することによってインナーケース３ｂに対して相対回転操作することができる。カム突部５は、プラグ４の一般部と同心の円柱体の側方を切断して平行２平面を形成した小判型断面形状を有する。
【００１７】
上記インナーケース３ｂの後端部には施錠体２を保持する施錠体保持部材１０が固定される。図３に示すように、施錠体２は、一端に係止フック１が形成された板状部材であり、他端には、上記施錠体保持部材１０の突出方向に分岐する第１、第２翼片１１、１２が設けられる。第１翼片１１の先端は、板厚方向に折り曲げられてストッパ片１１ａが形成され、第２翼片１２には、中間部をさらに同一方向に折り曲げて中間折曲部１２ａが形成される。
【００１８】
以上のように構成される施錠体２は、同一形状の２枚が係止フック１を背向させて板厚方向に重ねられ、中間部で枢軸６を介して相互に回転自在に軸支される。
図２に示すように、第１翼片１１のストッパ片１１ａがカム突部５の円弧断面部５ａに乗り上げた状態が施錠体２の係止フック１が相互に離間する施錠状態に対応する。施錠状態において、第２翼片１２は、中間折曲部１２ａがカム突部５の平面部５ｂに沿うように位置する（図２（ｂ）、図３（ｄ）（ｅ）参照）。この状態からプラグ４を、カム突部５の平面部５ｂが第２翼片１２の中間折曲部１２ａから遠ざかる方向、すなわち解錠方向に回転させると、やがて、図３（ｆ）、（ｇ）に示すように、カム突部５の平面部５ｂが第２翼片１２に当接する。この後、さらにプラグ４を回転させると、平面部５ｂにより第２翼片１２が押され、施錠体２が枢軸６周りに回転する。図４に示すように、プラグ４の解錠方向への回転操作により施錠体２は、係止フック１が相互に接近してロック孔８を挿通可能な解錠状態となる。
【００１９】
これに対し、解錠状態からプラグ４を施錠方向に回転させると、カム突部５の平面部５ｂと円弧断面部５ａとの境界部が第１翼片１１のストッパ片１１ａに当接した後、該第１翼片１１を円弧断面部５ａ上に載せるように移動して施錠状態に移行する。
【００２０】
さらに、上記インナーケース３ｂの先端部にはスライドケース１３が装着される。スライドケース１３は、インナーケース３ｂに外嵌されるとともに、アウターケース３ａ内に嵌合され、インナーケース３ｂ、アウターケース３ａ双方に対して相対移動可能に装着される。インナーケース３ｂに対するスライドケース１３のストローク長を決定するために、上記施錠体２の枢軸６は施錠体保持部材１０とインナーケース３ｂとを貫通してスライドケース１３内に挿入し、スライドケース１３には、プラグ４の長手方向に長いストローク決定用長孔１３ａが形成される。
【００２１】
また、スライドケース１３とアウターケース３ａとの間には圧縮スプリング１４が介装され、スライドケース１３を飛び出し方向に付勢する。
したがってこの実施の形態において、使用に際してプラグ４を真正な解錠キーを使用して解錠状態に移行させ、施錠体２の先端部をロック孔８に挿入する。ロック孔８への施錠体２先端の挿入操作に伴って、スライドケース１３は筐体表面壁に当接した後、図１（ｂ）に示すように、アウターケース３ａ内に入り込み、この後、圧縮スプリング１４の弾性復元力により筐体９表面壁を押圧する。
【００２２】
この状態で、施錠体２は側壁がロック孔８の対向側縁に当接して回転方向のがたつきが規制されており、次いで、プラグ４を施錠方向に回転すると、施錠体２は、係止フック１が相互に離間する方向に回転し、図１（ｂ）に示すように、ロック孔８の周縁壁面に係止する。この状態で解錠キーをプラグ４から抜去すると、錠装置はパソコンに脱離不能に連結された状態となり、締結用ワイヤ７が連結される机の脚等から外すことが不能となる。
【００２３】
図３（ｅ）に示すように、施錠状態において第１翼片１１のストッパ片１１ａはカム突部５の円弧断面部５ａ上に載った状態で施錠状態を維持している。この円弧断面部５ａは、プラグ４と同心であるために、プラグ４が解錠方向（図３（ｅ）における矢印Ｒ方向）にがたつきがあっても、第１翼片１１の揺動角は変化することがない。この結果、プラグ４のがたつきにより係止フック１とロック孔８との係止寸法が変化しないために、施錠強度等が一定となり、施錠信頼性が高まる。
【００２４】
また、施錠状態において施錠装置を引っ張ってロック孔８から引き抜こうとした場合、施錠体２には、解錠方向への回転トルクが発生するが、第１翼片１１のストッパ片１１ａを支承して施錠体２の回転を規制するカム突部５はブロック状に形成されるために強度が高く、破壊操作に対する耐性を高めることができる。
【００２５】
さらに、施錠体２を解錠方向に回転させようとした場合に第１翼片１１のストッパ片１１ａを介してカム突部５に加えられる力の方向線（Ｆ）は、ほぼプラグ４の回転中心を向くために、プラグ４の回転中心と作用線との距離（アーム長）は極めて小さくなる。このため、施錠体２への解錠方向への回転力付与によってプラグ４に発生する偶力は、小さくなるために、タンブラ破壊等によるプラグ４の不正回転に対する耐性も高めることができる。
【００２６】
なお、以上においては、パソコンを施錠対象とする場合を示したが、施錠対象は、これに限られない。
【図面の簡単な説明】
【００２７】
【図１】本発明を示す図で、（ａ）は断面図、（ｂ）は施錠状態における（ａ）の１Ｂ方向矢視図、（ｃ）はロック孔を示す正面図である。
【図２】図１の要部を示す図で、（ａ）は図１（ａ）の２Ａ-２Ａ線断面図、（ｂ）はカム突部と翼片との関係を示す図２（ａ）の２Ｂ-２Ｂ線断面図である。
【図３】施錠体を示す図で、（ａ）は施錠体の正面図、（ｂ）は（ａ）の３Ｂ方向矢視図、（ｃ）は（ａ）の３Ｃ方向矢視図、（ｄ）は施錠状態におけるプラグとの関係を示す説明図、（ｅ）は（ｄ）の３Ｅ-３Ｅ線断面図、（ｆ）は解錠途中を示す（ｄ）に対応する図、（ｇ）は（ｆ）の状態における（ｅ）に対応する断面図である。
【図４】解錠状態を示す図で、（ａ）は図２（ａ）に対応する断面図、（ｂ）はカム突部と翼片との関係を示す図４（ａ）の４Ｂ-４Ｂ線断面図である。
【符号の説明】
【００２８】
１        係止フック
２        施錠体
３        シリンダケース
４        プラグ
５        カム突部
【図１】
2005307666.tif 000003
【図２】
2005307666.tif 000004
【図３】
2005307666.tif 000005
【図４】
2005307666.tif 000006